(57)【要約】【課題】簡単な構造で、妨害電波の影響を受けない電子部品の電波シールド構造，ロー・ノイズ・ブロックダウン・コンバータおよび衛星受信アンテナ装置を提供する。【解決手段】蓋２とシャーシ１との接触による外部シールドと、基板やフレームを含む内部の部品全体を覆う内部シールド３とを備え、減衰または遮断すべき周波数における波長をλｇとしたときに、λｇ／４以下の直径とピッチで貫通させた孔が、内部シールド３に設けられている。内部シールド３は本体３ａと蓋３ｂで構成され、本体３ａに蓋３ｂが、ネジまたはカシメ構造で固定されている。【選択図】図２
2009123735.tif 000002
【特許請求の範囲】
【請求項１】
蓋とシャーシの接触による外部シールドと、
内部の部品全体を覆う内部シールドとを備え、
減衰または遮断すべき周波数における波長をλｇとしたときに、λｇ／４以下の直径とピッチで貫通させた孔が前記内部シールドに設けられた、電子部品のシールド構造。
【請求項２】
蓋とシャーシの接触による外部シールドと、
内部の部品全体を覆う内部シールドとを備え、
前記外部シールドと前記内部シールドとの間隔が、減衰または遮断すべき周波数における波長をλｇとしたときに、λｇ／４に定められている電子部品のシールド構造。
【請求項３】
前記内部シールドが、本体および蓋で構成された、請求項１または２記載の電子部品のシールド構造。
【請求項４】
前記本体に前記蓋がネジで固定された請求項３記載の電子部品のシールド構造。
【請求項５】
前記本体に前記蓋がカシメ構造で固定された請求項３記載の電子部品のシールド構造。
【請求項６】
前記本体の外側に前記蓋が弾性変形で嵌合され、嵌合部の一方に凸部、他方に凹部が設けられた請求項３記載の電子部品のシールド構造。
【請求項７】
前記本体の内側に前記蓋が弾性変形で嵌合され、嵌合部の一方に凸部、他方に凹部が設けられた請求項３記載の電子部品のシールド構造。
【請求項８】
前記本体の上端に対し、段を形成して前記蓋が嵌合し、前記段の部分に半田付けが施された請求項７記載の電子部品のシールド構造。
【請求項９】
前記本体の内側面には、前記蓋の下端を規制するストッパが突設された請求項７または８記載の電子部品のシールド構造。
【請求項１０】
前記蓋と前記本体は１辺において、弾性変形により折曲げ可能に一体とされた請求項３記載の電子部品のシールド構造。
【請求項１１】
請求項１〜９のいずれか１項記載の電子部品のシールド構造を備えたロー・ノイズ・ブロックダウン・コンバータ。
【請求項１２】
請求項１１記載の電子部品のシールド構造を備えた衛星受信アンテナ装置。
【発明の詳細な説明】
【技術分野】
【０００１】
本発明は、電子部品のシールド構造、それを用いた、衛星放送を受信するためのローノイズ・ブロックダウン・コンバータ（以下「ＬＮＢ」と称す）、および衛星受信アンテナ装置に関し、特に、携帯電話等の外部妨害電波対策を施したローノイズ・ブロックダウン・コンバータ、およびそれを用いた衛星受信アンテナ装置に関するものである。
【背景技術】
【０００２】
ＬＮＢのシールド構造は、蓋と外形シャーシとを接触させながら気密を保ち、ＬＮＢから漏れる信号（ローカル信号）や携帯電話の妨害電波等を遮断する方法が取られている。すなわち、従来の技術では、図１３のように、蓋（金属製）２とシャーシ（金属製）１とを接触させる。また、安定した接触をさせるために、蓋とシャーシのお互いの接触面を精密に加工したり、弾性シールド効果のある別部品Ｅを挟み込み接触させている。
【０００３】
特許文献１では、ダイカスト等により製作されたユニットケースにプリント基板が取り付けられ、この基板上の回路を覆ってシールドケースがビスにより取り付けられている。
【特許文献１】実開昭６２−４２３００号公報
【発明の開示】
【発明が解決しようとする課題】
【０００４】
従来のＬＮＢでは、図１３に示すように、金属製の蓋２と金属製のシャーシ１とを接触させるため、加工バラツキや部品の歪などを含む部品のバラツキ等により、本来発生してはならない隙間が生じる。そのためＬＮＢの内部と外部が通じ、信号の漏れやＬＮＢへの信号の侵入が生じる。
【０００５】
このため、外部シールドでは、気密性能の確保が重要であり、シリコン，エポキシ樹脂等の封じ材Ｅを非導電材料にすることが多い。そのため、加工バラツキを含む部品のバラツキにより発生した蓋とシャーシとの隙間に封じ材が流れ込み、蓋とシャーシとの接触を阻害する。その対策として、非導電材料を、銀ペースト等の導電材料に変える措置が採り得る。また、蓋とシャーシとの間に弾性のある導電体を挟み込み、安定した接触を確保する等の手段がとられる。しかし、それらの対策は、コストが高くなるという問題がある。
【０００６】
このように、弾性がありシールド効果のある部品は、非常に価格が高い。また、その部品を用いて気密を保持している場合は、酸性雨・排気ガス湿度等により金属を混ぜ込んだ物、あるいは金属を織り込んだ物では、サビ等により性能劣化が生じてしまうことがあるという問題がある。
【０００７】
本発明は上記課題を解決し、簡単な構造で、妨害電波の影響を受けない電子部品の電波シールド構造、それを用いたローノイズ・ブロックダウン・コンバータおよび衛星受信アンテナ装置を提供することを目的とする。
【課題を解決するための手段】
【０００８】
上記課題を解決するため、本発明では、ＬＮＢ内部でシールド構造を施すことにより、安定したシールドが可能になり、特に携帯電波等の妨害波影響を受けなくなる。シールドを２重にすることにより、外からの妨害波で考えると、内部に向かうに連れて信号レベルが減衰し、特性に影響しないレベルにするのである。
【０００９】
すなわち、本発明の電子部品のシールド構造は、一つの局面においては、蓋とシャーシの接触による外部シールドと、基板やフレームを含む内部の部品全体を覆う内部シールドとを備える。そして、減衰あるいは遮断すべき周波数における波長をλｇとしたときに、λｇ／４以下の直径とピッチで貫通させた孔が内部シールドに設けられている。
【００１０】
本発明の電子部品のシールド構造は、他の局面においては、蓋とシャーシの接触による外部シールドと、基板やフレームを含む内部の部品全体を覆う内部シールドとを備える。そして、外部シールドと内部シールドとの間隔が、減衰あるいは遮断すべき周波数における波長をλｇとしたときに、λｇ／４に定められている。
【００１１】
また、本発明は、以下の種々の実施形態を含む。内部シールドは本体と蓋で構成されている。そして、本体に蓋が、ネジでまたはカシメ構造で固定されている。本体の外側または内側に蓋が弾性変形で嵌合され、嵌合部の一方に凸部、他方に凹部が設けられている場合がある。
【００１２】
また、内側に蓋が嵌合される場合は、本体の上端に対し、段を形成して蓋が嵌合し、前記段の部分に半田付けを施してもよい。この場合、さらに、本体の内側面には、蓋の下端を規制するストッパが突設されたものでもよい。蓋と本体は１辺において、弾性変形により折曲げ可能に一体とされたものでもよい。さらに、上記シールド構造を備えたローノイズ・ブロックダウン・コンバータおよび衛星受信アンテナ装置も発明に含まれる。
【００１３】
このように、ＬＮＢ内部でシールドするため、環境（酸性雨・排気ガス等）に対する配慮が不要になり、安価な部材を使用することができる。
【発明の効果】
【００１４】
本発明により、シールドを２重構造にすることで、妨害電波の影響を受けＬＮＢの性能悪化を防ぐことができる。また、ＬＮＢ本体から放射される信号（ノイズ）も防ぐことができ、安全規格（ＣＥ等）取得も容易になる。
【発明を実施するための最良の形態】
【００１５】
以下に本発明の実施形態を図面に基づき説明する。
図１および図２に、本発明の実施形態１におけるＬＮＢの構造を示す。実施形態１のＬＮＢは、蓋２とシャーシ１との接触による外部シールドと、基板Ａ，ＢやフレームＦを含む内部の部品全体を覆う内部シールド３とを備える。そして、減衰あるいは遮断すべき周波数における波長をλｇとしたときに、λｇ／４以下の直径とピッチで貫通させた孔３ｃが前記内部シールドに設けられている。
【００１６】
このように、従来の蓋とシャーシとの接触による外部シールドに加え、内部へシールド構造（別部品によるシールド効果のある部品）を追加した。シールドを２重にすることにより、特に外部からの妨害波からの影響を受けやすい基板Ｂへの妨害波を遮断あるいは減衰し、良好な特性あるいは性能を確保することができる。
【００１７】
なお、基板Ａは、基板Ｂと比べると、フレームＦによりカバーされている分、外部からの妨害波の影響を受け難い。しかし、基板Ａには信号を発生させる回路（ローカル等）が搭載されており、基板Ａから外部へ向けて妨害波が放射されることがある。その場合でも、２重シールドにすることで、内から外へのシールドも可能なる。
【００１８】
図１で示した構造は、全ての波長（周波数）に対応可能である。しかし、全てをシールドする必要性がない場合、図２のように、内部シールドに孔３ｃをあけて特定の範囲の周波数を減衰（遮断）させることができる。その上、孔が開いていることにより、軽量化も可能になる。
【００１９】
次に、本発明の実施形態２について、図３に基づいて説明する。実施形態２においては、外部シールドと内部シールド３との間隔Ｓが、減衰あるいは遮断すべき周波数における波長をλｇとしたときに、λｇ／４に定められたシールド構造を有する。部品のバラツキで発生する隙間等（ノイズ入口）１ａを通って、外部から入って来たノイズが、λｇ／4の位置にある内部シールドに跳ね返る。この反射したものは、入口１ａでは、位相がλｇ／２になる。これにより、反射したノイズがさらに入ってくるノイズと打ち消し合い、ノイズをなくすことができる。つまり、λｇ／２＝１８０度で反転することになる。ここで、ノイズとは、遮断したい一定の周波数を示す。
【００２０】
図４に、本発明の実施形態の変形例１を示す。変形例１は、図１における内部シールド３の構造を２部品で構成にしたものである。すなわち、前記内部シールド３は本体３ａと蓋３ｂで構成されている。これにより基板Ａ・Ｂの調整や内部部品の取り付け、シャーシ１への固定等が容易にでき、生産性が向上する。
【００２１】
図５は、本発明の実施形態の変形例２を示す。変形例２においては、本体３ａに蓋３ｂがネジ４で固定されている。図６は、本発明の実施形態１および２の変形例３を示す。変形例３においては、本体３ａに蓋３ｂが塑性変形させ固定するカシメ構造５で固定されたものである。これにより、上記ネジと本体側にあったネジ溝が不要になりコスト低減が可能になる。
【００２２】
図７は、本発明の実施形態の変形例４を示す。変形例４においては、本体３ａの外側に蓋３ｂが弾性変形で嵌合され、フック係合部６の一方に凸部６ａ、他方に凹部６ｂが設けらている。この変形例は、変形例２において、取り付け後カシメることで生じる歪、変形を防ぐことができる。また、カシメでは、カシメ方法や作業者によって蓋とシャーシにガタツキが生じることがあった。しかし、部品そのものに嵌合箇所が設けられているため、安定した固定が可能になる。
【００２３】
図８は、本発明の実施形態の変形例５を示す。変形例５は、本体３ａの内側に蓋３ｂを嵌合固定する構造のものである。すなわち、この変形例においては、本体３ａの内側に蓋３ｂが弾性変形で嵌合され、フック係合部６の一方に凸部６ａ、他方に凹部６ｂが設けられたものである。実施形態の変形例４と相違点は、蓋が本体の内部に収納されることにより、シールド構造の外形を小さくすることができる。
【００２４】
図９は、本発明の実施形態の変形例６を示す。変形例６は、図８における本体３ａの上端に対し、段を形成して蓋３ｂが嵌合し、段の部分に半田付け７が施されたものである。この変形例が変形例５と相違する点は、蓋が本体の内部に収納されている本体と蓋を半田付けにより、シールド効果をさらに強化した点にある。半田付けをすることで嵌合バラツキによる隙間を埋めることができ、かつ、固定強度も向上する。また、本体の内側面には、蓋の下端を規制するストッパ８が突設されている。
【００２５】
図１０は、本発明の実施形態の変形例７を示す。変形例７においては、図１の形状を形成し、かつ変形例１の２部品構成から、１部品構成にすることによりコスト低減が可能になる。すなわち、蓋３ｂと本体３ａは１辺において、弾性変形により折曲げ可能に一体とされている。ここで、蓋部分の曲げが後工程になることにより、変形が生じ開口端辺に隙間が生じることがある。その対策としては、合せられる辺を半田付けすることにより解消できる。また、曲げ時に加える力を軽減する手段として、シールドに支障が出ない範囲で、折り曲げ辺と本体との境界部に細かい長孔（スリット）を設ける。これにより、変形を軽減させることも可能である。
【００２６】
図１１は上記シールド構造を備えたＬＮＢ（ローノイズ・ブロックダウン・コンバータ）１０を示し、図１２はこのＬＮＢを備えた衛星受信用アンテナ装置２０を示し、２１はパラボナアンテナ、２２はテーブルである。
【００２７】
今回開示された実施の形態はすべて例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２８】
本発明は、衛星放送を受信するためのローノイズ・ブロックダウン・コンバータの妨害電波対策に利用される。
【図面の簡単な説明】
【００２９】
【図１】本発明の実施形態１における２重シールド構造を示す図であり、（ａ）は平面図、（ｂ）はそのＩｂ−Ｉｂ断面図、（ｃ）はＩｃ−Ｉｃ断面図である。
【図２】図１（ｃ）に対応した内部シールドに設けられた孔の配置を説明するための断面図である。
【図３】本発明の実施形態２の構造を示す断面図である。
【図４】本発明の実施形態の変形例１における、内部シールドを２部品構成にした構造を示す斜視図である。
【図５】本発明の実施形態の変形例２における、内部シールドの蓋と本体をネジ固定する構造を示す斜視図である。
【図６】本発明の実施形態の変形例３における、内部シールドの蓋と本体をカシメ固定する構造を示す部分拡大断面図である。
【図７】本発明の実施形態の変形例４における、内部シールドの蓋と本体のフック固定部の構造を示す拡大断面図である。
【図８】本発明の実施形態の変形例５における、内部シールドの蓋と本体のフック固定部の構造を示す拡大断面図である。
【図９】本発明の実施形態の変形例６における、内部シールドの蓋と本体をフックと半田付けで固定する構造を示す拡大断面図である。
【図１０】本発明の実施形態の変形例７における、内部シールドの蓋と本体を１体化した構造を示す斜視図である。
【図１１】ＬＮＢの概略図であり、（ａ）は平面図、（ｂ）は正面図である。
【図１２】アンテナセットの装置の側面図である。
【図１３】従来技術の構造説明図であるり、（ａ）は平面図、（ｂ）は（ａ）におけるＸIIIb−ＸIIIb線断面図である。
【符号の説明】
【００３０】
Ｆ  フレーム、Ａ，Ｂ  基板、１  シャーシ、２  蓋、３  内部シールド、３ａ  本体、３ｂ  蓋、３ｃ  孔、４  ネジ、５  カシメ、６  フック係合部、６ａ  凸部、６ｂ  凹部、７  半田、８  ストッパ、１０  ＬＮＢ、２０  アンテナ装置。
【図１】
2009123735.tif 000003
【図２】
2009123735.tif 000004
【図３】
2009123735.tif 000005
【図４】
2009123735.tif 000006
【図５】
2009123735.tif 000007
【図６】
2009123735.tif 000008
【図７】
2009123735.tif 000009
【図８】
2009123735.tif 000010
【図９】
2009123735.tif 000011
【図１０】
2009123735.tif 000012
【図１１】
2009123735.tif 000013
【図１２】
2009123735.tif 000014
【図１３】
2009123735.tif 000015